(57)【要約】【課題】  注文毎に作成された注文品の受渡し作業を効率的かつ正確に行なう。【解決手段】  注文情報を受け付ける受付装置１０と、受け付けた注文情報に従ってネガシート、写真画像データが格納されたＣＤを作成し、各トレイ２２１、３７４、４４１に排出するフィルム処理装置２０、写真出力装置３０、ＣＤ処理装置４０を備えた写真処理システム１において、受付装置１０は、受け付けた注文情報から注文を特定する識別情報を生成すると共にプリンタ１４によって所定の用紙に印刷する。受付装置１０は、操作部１３により識別情報の入力が行なわれると、識別情報に対応する注文情報から作成された注文品が収納されているトレイ２２１、３７４、４４１を特定し、当該トレイ２２１、３７４、４４１に対応して設けられたＬＥＤ２２３、３７６、４４２を点灯させる。【選択図】      図１
2005352185.tif 000002
【特許請求の範囲】
【請求項１】
記録媒体に記録されている撮影に関する画像データを別種類の記録媒体へ記録するための注文を受け付ける受付手段と、
受け付けた注文情報から注文を特定する識別情報を生成する識別情報付与手段と、
受け付けた注文情報に従って対応する別種類の記録媒体へ画像データを記録することにより注文品の作成を行う注文品作成手段と、
複数の収納部を備え、作成された注文品を注文単位でいずれか１つの収納部に排出する排出部と、
注文品が収納された収納部を当該注文品に対応する識別情報から特定する特定情報を生成する特定情報付与手段と、
複数の収納部のいずれかを特定するための表示を行う表示部と、
前記識別情報を前記注文品の表面適所または該注文品の注文に付随して発行される所定の被記録体に記録する記録手段と、
前記記録された識別情報を読み取る読取手段と、
読み取った前記識別情報から対応する特定情報を抽出し、該特定情報に対応して前記表示部への表示を行う表示制御手段とを備えてなる写真処理システム。
【請求項２】
前記記録手段は、識別情報をバーコードで印字するものであることを特徴とする請求項１記載の写真処理システム。
【請求項３】
記録媒体に記録されている撮影に関する画像データを別種類の記録媒体へ記録するための注文を受け付ける受付手段と、
受け付けた注文情報から注文を特定する識別情報を生成する識別情報付与手段と、
受け付けた注文情報に従って対応する別種類の記録媒体へ画像データを記録することにより注文品の作成を行う注文品作成手段と、
複数の収納部を備え、作成された注文品を注文単位でいずれか１つの収納部に排出する排出部と、
注文品が収納された収納部を当該注文品に対応する識別情報から特定する特定情報を生成する特定情報付与手段と、
複数の収納部のいずれかを特定するための表示を行う表示部と、
前記識別情報を前記注文品の表面適所または該注文品の注文に付随して発行される所定の被記録体に記録する記録手段と、
前記識別情報の入力を行う入力手段と、
前記入力手段により入力された識別情報から対応する特定情報を抽出し、該特定情報に対応して前記表示部への表示を行う表示制御手段とを備えてなる写真処理システム。
【請求項４】
前記記録手段は、前記被記録体に前記識別情報をプリント出力するものであることを特徴とする請求項１〜３のいずれかに記載の写真処理システム。
【請求項５】
前記表示部は、各収納部の配置に対応付けて複数個の表示部材が配設され、
前記表示制御手段は、前記特定情報に対応する表示部材に表示動作を行わせるものであることを特徴とする請求項１〜４のいずれかに記載の写真処理システム。
【請求項６】
前記排出部は、前記複数の収納部が注文毎に一段だけ移動するものであり、前記表示制御手段は、前記収納部の移動情報を用いて表示動作を行なわせる表示部材を決定するものであることを特徴とする請求項５記載の写真処理システム。
【請求項７】
前記収納部のそれぞれに特定情報が表記されてなり、前記表示制御手段は、前記特定情報の内容を前記表示部に表示するものであることを特徴とする請求項１〜４のいずれかに記載の写真処理システム。
【請求項８】
前記注文品作成手段は、１の注文から２種類の記録媒体に対して注文品を作成するものであって、画像データを印画紙にプリントして写真を作成する写真処理部と、画像データをＣＤに格納するＣＤ作成部であり、前記排出部は、プリントされた写真を排出する写真排出部と、画像データの格納後のＣＤを排出するＣＤ排出部とを備えることを特徴とする請求１〜７のいずれかに記載の写真処理システム。
【請求項９】
前記注文品作成手段は、１の注文から２種類の記録媒体に対して注文品を作成するものであり、
前記記録手段は、一方の記録媒体の表面に前記識別情報を記録するものであり、
前記表示部は、他方の記録媒体が排出された収納部のいずれかを特定するものであることを特徴とする請求項１〜３のいずれかに記載の写真処理システム。
【請求項１０】
前記表示部は、他方の記録媒体を排出する排出部の各収納部の配置に対応付けて複数個の表示部材が配設され、
前記表示制御手段は、前記特定情報に対応する表示部材に表示動作を行わせるものであることを特徴とする請求項９記載の写真処理システム。
【請求項１１】
前記排出部は、前記複数の収納部が注文毎に一段だけ移動するものであり、前記表示制御手段は、前記収納部の移動情報を用いて表示動作を行なわせる表示部材を決定するものであることを特徴とする請求項１０記載の写真処理システム。
【請求項１２】
前記他方の記録媒体を排出する排出部の収納部のそれぞれに特定情報が表記されてなり、前記表示制御手段は、前記特定情報の内容を前記表示部に表示するものであることを特徴とする請求項９記載の写真処理システム。
【請求項１３】
前記注文品作成手段は、画像データを印画紙にプリントして写真を作成する写真処理部と、画像データをＣＤに格納するＣＤ作成部であり、前記記録手段は、前記ＣＤの表面に前記特定情報を記録するものであることを特徴とする請求９〜１２のいずれかに記載の写真処理システム。
【請求項１４】
前記撮影に関する画像データを記録した記録媒体であるフィルムを現像する手段と、
複数のフィルム収納部を備え、現像後のフィルムを注文単位でいずれか１つの収納部に排出するフィルム排出部と、
前記複数のフィルム収納部のいずれかを特定するための表示を行う容器表示部と、
前記特定情報に対応して前記フィルム表示部への表示を行う容器表示制御手段とを備えたことを特徴とする請求項１〜１３のいずれかに記載の写真処理システム。
【発明の詳細な説明】
【技術分野】
【０００１】
本発明は、画像が撮影されたフィルム等から別種類の記録媒体への画像の記録を行う注文情報を受け付け、注文情報に従って注文品の作成処理を行う写真処理システムに関する。
【背景技術】
【０００２】
従来、写真館やＤＰ店などでフィルムから写真のプリント処理を行う場合には、注文者から指示されたプリント指示情報を含む注文情報をＤＰ袋と呼ばれる袋に記入して、このＤＰ袋とフィルムとを対応付けるために、ツインチェックと呼ばれる４桁の数字が印刷されたラベルをＤＰ袋とフィルムとに貼り付けていた。
【０００３】
そして、フィルムに対しては、現像、フィルムスキャナによる画像データの読み取り、フィルム処理装置によるネガシートの生成等の処理が施され、フィルムスキャナにより読み取られた画像データが写真出力装置に入力されて印画紙にプリント処理が施されて写真が生成される。
【０００４】
プリント処理が完了すると、写真に写っている画像と、ネガシートとなったフィルムの画像とが作業者の目視によって照合され、プリントされた写真とフィルムとが照合される。そして、更に、フィルムに貼付されたツインチェックラベルと、ＤＰ袋に貼付されたツインチェックラベルとが作業者の目視によって照合され、フィルムとＤＰ袋とが照合される。照合されたフィルムと写真とがＤＰ袋に収納されて、注文者に受渡し可能な状態（仕上がり状態）となる。
【発明の開示】
【発明が解決しようとする課題】
【０００５】
上記の方法によれば、ＤＰ袋、フィルム及びプリントされた写真を作業者が目視によって照合する必要があるため、多数のプリント注文を間違いなく、短時間に処理することは困難であり、また、作業者の負担が大きかった。
【０００６】
一方、近年、ＣＤドライブを備えたパーソナルコンピュータの一般家庭への普及に伴い、フィルムスキャナによって読み取られた画像データやスマートメディア等の小型メモリカードからなる記録媒体に格納された画像データをＣＤ処理装置によってＣＤに格納し、提供するサービスが行われるようになってきている。このサービスを行う場合には、従来のＤＰ袋、フィルム及びプリントされた写真に加えて、画像データが格納されたＣＤと、写真等との照合を行う必要があり、更に作業者の負担が大きくなる。しかも、写真及びフィルムはこれらの画像を外観上目視できるのに対し、ＣＤに書き込まれた画像データは外観上目視できないため、ＣＤと写真、フィルムとの照合を誤る場合があり、これを防ぐためにはＣＤに書き込まれた画像データを読出手段により読出し、モニタで確認する必要があった。このように、従来は注文品の照合作業に時間がかかり、注文毎の注文品を短時間で正確に揃えるのは困難であった。
【０００７】
本発明は、上記課題に鑑みてなされたもので、注文毎の注文品の受渡し作業を正確かつ効率的に行なうことができる写真処理システムを提供することを目的とする。
【課題を解決するための手段】
【０００８】
請求項１に係る写真処理システムは、記録媒体に記録されている撮影に関する画像データを別種類の記録媒体へ記録するための注文を受け付ける受付手段と、受け付けた注文情報から注文を特定する識別情報を生成する識別情報付与手段と、受け付けた注文情報に従って対応する別種類の記録媒体へ画像データを記録することにより注文品の作成を行う注文品作成手段と、複数の収納部を備え、作成された注文品を注文単位でいずれか１つの収納部に排出する排出部と、注文品が収納された収納部を当該注文品に対応する識別情報から特定する特定情報を生成する特定情報付与手段と、複数の収納部のいずれかを特定するための表示を行う表示部と、前記識別情報を前記注文品の表面適所または該注文品の注文に付随して発行される所定の被記録体に記録する記録手段と、前記記録された識別情報を読み取る読取手段と、読み取った前記識別情報から対応する特定情報を抽出し、該特定情報に対応して前記表示部への表示を行う表示制御手段とを備えてなるものである。
【０００９】
上記構成によれば、受付手段によって記録媒体に記録されている撮影に関する画像データを別種類の記録媒体へ記録するための注文が受け付けられると、識別情報付与手段によって、受け付けた注文情報から注文を特定する識別情報が生成される。注文品作成手段によって注文情報に従って注文品の作成が行なわれ、作成された注文品等に記録手段によって識別情報が記録されると共に所定の収納部に収納される。一方、特定情報付与手段によって、当該注文品が収納される収納部を注文品に対応する識別情報から特定する特定情報が生成される。そして、注文品の作成終了時または受渡し時に読取手段によって注文品等に記録された識別情報の読み取りが行なわれると、表示制御手段によって、読み取った識別情報から対応する特定情報が抽出され、当該特定情報に対応して注文品が収納されている収納部を特定するための表示部への表示が行なわれる。これにより、注文品が収納されている収納部が一目で確認可能となり、注文に応じた注文品を組み合わせ上誤ることなく効率的に揃えることができ、注文品の受渡し作業の効率化が図られる。
【００１０】
請求項２に係る写真処理システムは、請求項１記載の写真処理システムにおいて、前記記録手段は、識別情報をバーコードで印字するものであることを特徴とする。
【００１１】
上記構成によれば、注文品等に記録されるバーコードの読取手段による読み取り作業によって、識別情報の読み取りが効率的に行なわれる。
【００１２】
請求項３に係る写真処理システムは、記録媒体に記録されている撮影に関する画像データを別種類の記録媒体へ記録するための注文を受け付ける受付手段と、受け付けた注文情報から注文を特定する識別情報を生成する識別情報付与手段と、受け付けた注文情報に従って対応する別種類の記録媒体へ画像データを記録することにより注文品の作成を行う注文品作成手段と、複数の収納部を備え、作成された注文品を注文単位でいずれか１つの収納部に排出する排出部と、注文品が収納される収納部を当該注文品に対応する識別情報から特定する特定情報を生成する特定情報付与手段と、複数の収納部のいずれかを特定するための表示を行う表示部と、前記識別情報を前記注文品の表面適所または該注文品の注文に付随して発行される所定の被記録体に記録する記録手段と、前記識別情報の入力を行う入力手段と、前記入力手段により入力された識別情報から対応する特定情報を抽出し、該特定情報に対応して前記表示部への表示を行う表示制御手段とを備えてなるものである。
【００１３】
上記構成によれば、受付手段によって記録媒体に記録されている撮影に関する画像データを別種類の記録媒体へ記録するための注文が受け付けられると、識別情報付与手段によって、受け付けた注文情報から注文を特定する識別情報が生成される。注文品作成手段によって注文情報に従って注文品の作成が行なわれ、作成された注文品等に記録手段によって識別情報が記録されると共に所定の収納部に収納される。一方、特定情報付与手段によって、当該注文品が収納された収納部を注文品に対応する識別情報から特定する特定情報が生成される。そして、注文品の作成終了時または受渡し時に入力手段によって識別情報が入力されると、表示制御手段によって、入力された識別情報から対応する特定情報が抽出され、当該特定情報に対応して注文品が収納されている収納部を特定するための表示部への表示が行なわれる。従って、注文品が収納されている収納部が一目で確認可能となり、注文に応じた注文品を組み合わせを誤ることなく効率的に揃えることができ、注文品の受渡し作業の効率化が図られる。
【００１４】
請求項４に係る写真処理システムは、請求項１〜３のいずれかに記載の写真処理システムにおいて、前記記録手段は、前記被記録体に前記識別情報をプリント出力するものであることを特徴とするものである。
【００１５】
上記構成によれば、被記録体、例えば注文時に注文者に渡される預り証に記録される識別情報が読取手段により読み取られ又は入力手段を介して入力されると、表示制御手段によって注文品が収納されている収納部を特定するための表示部への表示が行なわれる。これにより、注文品が収納されている収納部が確認可能となり、注文に応じた注文品の組み合わせを誤ることなく当該注文品を効率的に揃えることができ、受渡し作業の効率化が図られる。
【００１６】
請求項５に係る写真処理システムは、請求項１〜４のいずれかに記載の写真処理システムにおいて、前記表示部は、各収納部の配置に対応付けて複数個の表示部材が配設され、前記表示制御手段は、前記特定情報に対応する表示部材に表示動作を行わせるものであることを特徴とするものである。
【００１７】
上記構成によれば、注文品の作成終了時または受渡し時に注文品等に記録される識別情報が読取手段により読み取られ又は入力手段を介して入力されると、表示制御手段によって、識別情報から対応する特定情報が抽出され、当該特定情報に対応して注文品が収納されている収納部の配置に対応する表示部材の表示動作が行なわれる。従って、注文品が収納されている収納部を容易に確認することができる。
【００１８】
請求項６に係る写真処理システムは、請求項５記載の写真処理システムにおいて、前記排出部は、前記複数の収納部が注文毎に一段だけ移動するものであり、前記表示制御手段は、前記収納部の移動情報を用いて表示動作を行なわせる表示部材を決定するものであることを特徴とするものである。
【００１９】
上記構成によれば、表示制御手段によって、収納部の移動情報を用いて表示動作を行なわせる表示部材が決定されるため、注文品が収納されている収納部が正確に特定され、注文品の受渡しが適正となる。
【００２０】
請求項７に係る写真処理システムは、請求項１〜４のいずれかに記載の写真処理システムにおいて、前記収納部のそれぞれに特定情報が表記されてなり、前記表示制御手段は、前記特定情報の内容を前記表示部に表示するものであることを特徴とするものである。
【００２１】
上記構成によれば、注文品の作成終了時または受渡し時に注文品等に記録される識別情報が読取手段により読み取られ又は入力手段を介して入力されると、表示制御手段によって、識別情報から対応する特定情報が抽出され、特定情報の内容、即ち、注文品が収納されている収納部に表記される特定情報が表示部に表示される。従って、注文品が収納されている収納部を容易に確認することができる。
【００２２】
請求項８に係る写真処理システムは、請求項１〜７のいずれかに記載の写真処理システムにおいて、前記注文品作成手段は、１の注文から２種類の記録媒体に対して注文品を作成するものであって、画像データを印画紙にプリントして写真を作成する写真処理部と、画像データをＣＤに格納するＣＤ作成部であり、前記排出部は、プリントされた写真を排出する写真排出部と、画像データの格納後のＣＤを排出するＣＤ排出部とを備えることを特徴とするものである。
【００２３】
上記構成によれば、プリントされた写真は写真排出部に排出され、画像データの格納後のＣＤはＣＤ排出部に排出される。そして、当該写真、ＣＤ等に記録された識別情報が読取手段により読み取られまたは入力手段を介して入力されると、当該写真及びＣＤが収納されている収納部を特定するための表示部への表示が行なわれる。これにより、注文毎に作成された写真及びＣＤが収納されている収納部が一目で確認可能となり、写真及びＣＤの照合を行なわずに正確な組み合わせの写真及びＣＤを揃えることができる。
【００２４】
請求項９に係る写真処理システムは、請求項１〜３のいずれかに記載の写真処理システムにおいて、前記注文品作成手段は、１の注文から２種類の記録媒体に対して注文品を作成するものであり、前記記録手段は、一方の記録媒体の表面に前記識別情報を記録するものであり、前記表示部は、他方の記録媒体が排出された収納部のいずれかを特定するものであることを特徴とするものである。
【００２５】
上記構成によれば、注文品作成手段によって、２種類の記録媒体に対する注文品が作成され、記録手段によって、一方の記録媒体の表面に識別情報が記録される。そして、注文品の作成終了時または受渡し時に一方の記録媒体に記録される識別情報が読取手段により読み取られまたは入力手段により入力されると、表示制御手段によって、他方の記録媒体が収納されている収納部を特定するための表示部への表示が行なわれる。これにより、他方の記録媒体が収納されている収納部が確認可能となり、２種類の記録媒体の照合を行なわずに正確な組み合わせの記録媒体を効率的に揃えることができる。
【００２６】
請求項１０に係る写真処理システムは、請求項９記載の写真処理システムにおいて、前記表示部は、他方の記録媒体を排出する排出部の各収納部の配置に対応付けて複数個の表示部材が配設され、前記表示制御手段は、前記特定情報に対応する表示部材に表示動作を行わせるものであることを特徴とするものである。
【００２７】
上記構成によれば、注文品の作成終了時または受渡し時に一方の記録媒体に記録される識別情報が読取手段により読み取られ又は入力手段を介して入力されると、表示制御手段によって、識別情報から対応する特定情報が抽出され、当該特定情報に対応して他方の記録媒体が収納されている収納部の配置に対応する表示部材の表示動作が行なわれる。従って、他方の記録媒体が収納されている収納部を容易に確認することができる。
【００２８】
請求項１１に係る写真処理システムは、請求項１０記載の写真処理システムにおいて、前記排出部は、前記複数の収納部が注文毎に一段だけ移動するものであり、前記表示制御手段は、前記収納部の移動情報を用いて表示動作を行なわせる表示部材を決定するものであることを特徴とするものである。
【００２９】
上記構成によれば、表示制御手段によって、収納部の移動情報を用いて表示動作を行なわせる表示部材が決定されるため、他方の記録媒体が収納されている収納部が正確に特定され、注文品の受渡しが適正となる。
【００３０】
請求項１２に係る写真処理システムは、請求項９記載の写真処理システムにおいて、前記他方の記録媒体を排出する排出部の収納部のそれぞれに特定情報が表記されてなり、前記表示制御手段は、前記特定情報の内容を前記表示部に表示するものであることを特徴とするものである。
【００３１】
上記構成によれば、注文品の作成終了時または受渡し時に一方の記録媒体に記録される識別情報が読取手段により読み取られ又は入力手段を介して入力されると、表示制御手段によって、識別情報から対応する特定情報が抽出され、特定情報の内容、即ち、他方の記録媒体が収納されている収納部に表記される特定情報が表示部に表示される。従って、他方の記録媒体が収納されている収納部を容易に確認することができる。
【００３２】
請求項１３に係る写真処理システムは、請求項９〜１２のいずれかに記載の写真処理システムにおいて、前記注文品作成手段は、画像データを印画紙にプリントして写真を作成する写真処理部と、画像データをＣＤに格納するＣＤ作成部であり、前記記録手段は、前記ＣＤの表面に前記識別情報を記録するものであることを特徴とするものである。
【００３３】
上記構成によれば、写真処理部によって写真が作成されると共に、ＣＤ作成部によって画像データがＣＤに格納され、記録手段によってＣＤの表面に識別情報が記録される。そして、ＣＤの表面に記録される識別情報が読取手段により読み取られまたは入力手段を介して入力されると、同一注文により作成された写真が収納されている収納部を特定するための表示部への表示が行なわれる。これにより、ＣＤと同一注文により作成された写真が収納されている収納部を容易に確認することができる。
【００３４】
請求項１４に係る写真処理システムは、請求項１〜１３のいずれかに記載の写真処理システムにおいて、前記撮影に関する画像データを記録した記録媒体であるフィルムを現像する手段と、複数のフィルム収納部を備え、現像後のフィルムを注文単位でいずれか１つの収納部に排出するフィルム排出部と、前記複数のフィルム収納部のいずれかを特定するための表示を行うフィルム表示部と、前記特定情報に対応して前記フィルム表示部への表示を行う容器表示制御手段とを備えたことを特徴とするものである。
【００３５】
上記構成によれば、複数のフィルム収納容器によって、現像後のフィルムが注文単位で収納される。そして、注文品等に記録される識別情報が読取手段により読み取られまたは入力手段を介して入力されると、容器表示制御手段によって、現像後のフィルムが収納されているフィルム収納容器を特定するためのフィルム表示部への表示が行なわれる。これにより、現像後のフィルムが収納されているフィルム収納容器を容易に確認することができ、受渡し作業の効率化が図られる。
【発明の効果】
【００３６】
請求項１に係る写真処理システムによれば、注文品の作成終了時または受渡し時に読取手段によって注文品等に記録された識別情報の読み取りが行なわれると、注文品が収納されている収納部を特定するための表示部への表示を行なうので、注文品が収納されている収納部を一目で確認可能となり、注文品の受渡し作業の効率化を図ることができる。
【００３７】
請求項２に係る写真処理システムによれば、注文品等に記録されたバーコードの読取手段による読み取り作業によって、識別情報の読み取りが効率的に行なわれ、作業効率が向上する。
【００３８】
請求項３に係る写真処理システムによれば、注文品の作成終了時または受渡し時に入力手段によって注文品等に記録された識別情報が入力されると、注文品が収納されている収納部を特定するための表示部への表示を行なうので、注文品が収納されている収納部を一目で確認可能となり、注文品の受渡し作業の効率化を図ることができる。
【００３９】
請求項４に係る写真処理システムによれば、注文品の受渡し時に被記録体、例えば預り証に記録される識別情報が読取手段により読み取られ又は入力手段を介して入力されると、注文品が収納されている収納部を特定するための表示部への表示を行なうので、注文品が収納されている収納部を一目で確認することができ、注文品を効率的に揃え、注文者へ受渡すことができる。
【００４０】
請求項５に係る写真処理システムによれば、注文品の作成終了時または受渡し時に注文品等に記録される識別情報が読取手段により読み取られ又は入力手段を介して入力されると、注文品が収納されている収納部の配置に対応する表示部材の表示動作を行なうので、注文品が収納されている収納部を容易に確認することができる。
【００４１】
請求項６に係る写真処理システムによれば、収納部の移動情報を用いて表示動作を行なわせる表示部材を決定するので、注文品が収納されている収納部を正確に特定し、注文品の受渡しを適正に行なうことができる。
【００４２】
請求項７に係る写真処理システムによれば、注文品の作成終了時または受渡し時に注文品等に記録される識別情報が読取手段により読み取られ又は入力手段を介して入力されると、注文品が収納されている収納部に表記される特定情報を表示部に表示するので、注文品が収納されている収納部を容易に確認することができる。
【００４３】
請求項８に係る写真処理システムによれば、写真、ＣＤ等に記録された識別情報が読取手段により読み取られまたは入力手段を介して入力されると、当該写真及びＣＤが収納されている収納部を特定するための表示部への表示を行なうので、注文毎に作成された写真及びＣＤが収納されている収納部が一目で確認可能となり、写真及びＣＤの照合を行なわずに正確な組み合わせの写真及びＣＤを揃えることができる。
【００４４】
請求項９に係る写真処理システムによれば、注文品の作成終了時または受渡し時に注文品である２種類の記録媒体のうち一方の記録媒体に記録される識別情報が読取手段により読み取られまたは入力手段を介して入力されると、他方の記録媒体が収納されている収納部を特定するための表示部への表示を行うので、他方の記録媒体が収納されている収納部が確認可能となり、２種類の記録媒体の照合を行なわずに正確な組み合わせの記録媒体を効率的に揃えることができる。
【００４５】
請求項１０に係る写真処理システムによれば、注文品の作成終了時または受渡し時に一方の記録媒体に記録される識別情報が読取手段により読み取られ又は入力手段を介して入力されると、他方の記録媒体が収納されている収納部の配置に対応する表示部材の表示動作を行なうので、他方の記録媒体が収納されている収納部を容易に確認することができる。
【００４６】
請求項１１に係る写真処理システムによれば、表示動作を行なわせる収納部に対応する表示部材は、収納部の移動情報を用いて決定するので、注文品が収納されている収納部を正確に特定し、注文品の受渡しを適正とすることができる。
【００４７】
請求項１２に係る写真処理システムによれば、注文品の作成終了時または受渡し時に一方の記録媒体に記録される識別情報が読取手段により読み取られ又は入力手段を介して入力されると、他方の記録媒体が収納されている収納部に表記される特定情報を表示部に表示するので、他方の記録媒体が収納されている収納部を容易に確認することができる。
【００４８】
請求項１３に係る写真処理システムによれば、ＣＤの表面に記録される識別情報が読取手段により読み取られまたは入力手段を介して入力されると、同一注文により作成された写真が収納されている収納部を特定するための表示部への表示を行なうので、ＣＤと同一注文により作成された写真が収納されている収納部を容易に確認することができる。
【００４９】
請求項１４に係る写真処理システムによれば、注文品等に記録される識別情報が読取手段により読み取られまたは入力手段を介して入力されると、現像後のフィルムが収納されているフィルム収納容器を特定するためのフィルム表示部への表示を行なうので、現像後のフィルムが収納されているフィルム収納容器を容易に確認することができ、受渡し作業の効率化を図ることができる。
【発明を実施するための最良の形態】
【００５０】
（第１の実施形態）
図１及び図２は本発明に係る写真処理システムの第１の実施形態を示す側面図及び平面図、図３は受付装置の側面図、図４は受付装置のハード構成図の一例である。
【００５１】
写真処理システム１は、受付装置１０、フィルム処理装置２０、写真出力装置３０及びＣＤ処理装置４０を備える。まず、図１〜図４を用いて受付装置１０の構成について説明する。受付装置１０は、パーソナルコンピュータからなり、受付装置１０全体の動作を制御する制御部１１と、画像の表示を行なうモニタ１２と、外部からの操作を受け付けるキーボード等からなる操作部１３と、所要の情報、例えば注文者に付与される固有の情報を所定サイズの記録紙に印刷して出力するプリンタ１４と、記録媒体、例えばディジタルカメラで撮影された画像データを格納するスマートメディア等の小型メモリカードが挿入、取り出し可能に構成され、小型メモリカードに格納された画像データを読み込む画像データ読取部１５と、現像処理後のフィルムに光を当てて、透過光をＣＣＤなどの撮像素子で受光することによってフィルムのコマ毎の画像データを得るフィルムスキャナ１６と、バーコードの読取りを行うバーコードリーダ１７（読取手段に相当する）と、フィルム処理装置２０、写真出力装置３０及びＣＤ処理装置４０と通信を行なう通信制御部１８と、必要に応じて設けられる外部に音声を出力するスピーカ１９とを備え、装置各部はバスＢＡ１を介して接続されている。
【００５２】
音声再生部１５１は、制御部１１からの指示に従って所定の音声（例えば、アラーム、操作ガイダンス用の音声）をスピーカ１９から出力させるものである。描画処理部１５１は、制御部１１からの画像表示指示に従って、操作ガイド用の各画像や読取り後の画像を適宜モニタ１２に表示させるものである。インターフェイス部１５３〜１５７は、操作部１３、プリンタ１４、画像データ読取部１５、フィルムスキャナ１６及びバーコードリーダ１７の間でデータの授受を行うためのものである。
【００５３】
制御部１１は、受付装置１０の全体の動作を制御するもので、情報処理部（ＣＰＵ）１１１と、処理途中の情報等を一時的に格納するＲＡＭ１１２と、各種の処理プログラムや操作ガイドのための種々のボタンを有する操作画面の所定の画像情報等が予め記憶されたＲＯＭ１１３とを備えている。
【００５４】
受付装置１０は、操作部１３を介して注文情報を受け付けると共に、フィルムスキャナ１６によってフィルムから読み取られた画像データまたは画像データ読取部１５により小型メモリカードから読み出された画像データをＨＤＤ１５８に記憶し、必要に応じて写真出力装置３０、ＣＤ処理装置４０等に対して送信するものである。
【００５５】
図１〜図３及び図５を用いてフィルム処理装置２０の構成を説明する。フィルム処理装置２０は、現像済みのフィルム２４を所定のコマ数（ここでは、４コマ）のピースに切断した後、このフィルムピースを収納可能な袋状のフィルム収納部を多数並設してなる帯状のフィルムシートの各フィルム収納部に収納するネガシート作成部２１、ネガシート作成部２１により作成されたネガシート２５を受け取る複数のトレイ２２１（フィルム収納部に相当する）を有するネガシート排出部２２（フィルム排出部に相当する）、及びネガシート作成部２１からネガシート排出部２２に向けて所要角度で傾斜して形成されるシュータ部２３を備える。
【００５６】
図５はネガシート作成部の詳細構成図で、（ａ）は平面図、（ｂ）は側面図である。ネガシート作成部２１は、ネガシート２５をＡ方向に搬送し、ネガシート２５のフィルム収納部をフィルム２４の搬送方向の下流位置にセットする搬送テーブル２１１と、複数組の搬送ローラ対２１２ａ，２１２ｂ等で構成され、フィルム２４をＢ方向に搬送し、ネガシート２５のフィルム収納部に挿入するフィルム搬送部２１２と、フィルム搬送部２１２によって搬送されるフィルム２４の先端、後端等を光学的に検出するセンサ２１３と、センサ２１３の下流に設けられ、センサ２１３の検出信号を用いて、ネガシート２５の収納条件に合致するようにフィルム２４を所定コマ数（ここでは、４コマ）毎に切断するカッタ２１４と、搬送テーブル２１１上方のネガシート２５の搬送方向Ａ下流側に設けられたインクジェット方式の印字部２１５（記録手段に相当する）と、装置全体を制御する制御部２１６とを備えている。
【００５７】
制御部２１６は、受付装置１０から受信した識別情報をバーコード情報に変換する変換部（図示省略）を有し、受付装置１０から識別情報を受信すると、識別情報及び変換後のバーコード情報を印字部２１５に出力する。印字部２１５は、ネガシート２５の所定位置に識別情報２５２ａ及びバーコード情報２５２ｂを印字する。ここでは、印字部２１５は、ネガシート２５の１番目のフィルムピース２４１が収納されるフィルム収納部２５１がフィルム２４の搬送方向の下流位置にセットされた時点で印字処理を行い、ネガシート２２の先端部分に識別情報２５２ａ及びバーコード情報２５２ｂを印字する。
【００５８】
ネガシート排出部２２は、筐体２２２内部にチェーン駆動で上下方向に循環される複数のトレイ２２１を有する循環式トレイと、トレイ２２１を下方に移動するためのトレイ駆動部とを備え、注文毎に作成されたネガシート２５がシュータ部２３を落下して一つのトレイ２２１上に移送される毎にトレイ駆動部により１段だけトレイ２２１を下方向に移動するものである。また、筐体２２２の前面部にはトレイ２２１上のネガシート２５を取り出すための開口部２２２ａが設けられている。また、筐体２２２の適所であって各トレイ２２１の高さ位置に対応してＬＥＤ２２３（容器表示部に相当する）がそれぞれ配設されている。
【００５９】
図６は写真出力装置３０の構成図である。図１〜図３及び図６を用いて写真出力装置３０の構成を説明する。写真出力装置３０は、それぞれ幅の異なる複数種類（例えば２種類）の長尺印画紙Ｐを巻回収納したマガジン３１ａ、３１ｂと、該マガジン３１ａ、３１ｂから引き出した印画紙を所定サイズに切断する切断部３２と、複数組の従動ローラ３３ａ及び駆動ローラ３３ｂとガイドレール３３ｃなどで構成され、切断された印画紙片を搬送するコンベア３３と、切断された印画紙片上に画像データ読取部１５またはフィルムスキャナ１６で取り込んだ画像（画像データ）を露光する露光部３４と、現像液、定着液、漂白液及び安定化液をそれぞれ収容する複数のタンク３５ａ〜３５ｄを有し、露光された印画紙片の現像処理を行う現像処理部３５と、現像された印画紙片を乾燥する乾燥部３６と、乾燥後の印画紙片をオーダ単位に仕分けて排出するソータ３７と、乾燥部３６の下流側であって、搬送される印画紙片の裏面となる側に配設された所要ライン分のヘッドを有するインクジェット方式の印字部３８（記録手段に相当する）と、装置全体の動作を制御するマイクロコンピュータ、メモリ等からなる制御部３９とを備える。
【００６０】
制御部３９は、受付装置１０から受信した識別情報をバーコード情報に変換する変換手段（図示省略）を有し、受付装置１０から識別情報を受信すると、識別情報及び変換後のバーコード情報を印字部３８に出力する。印字部３８は、搬送されてくる印画紙片の裏面に識別情報及びバーコード情報を印字するものである。
【００６１】
また、印字部３８の近傍（例えば、上流側）には、印画紙片の通過を検出するセンサ（図示省略）を有し、このセンサ出力を受けて、印字部３８が作動するようになっている。なお、印字部３８の配設位置は、乾燥部３６の下流側に限らず、例えば、現像処理の影響を受けない場合には、現像部３５の上流側の適所であってもよい。
【００６２】
ソータ３７は、乾燥部３６上部の排出口３６１に対向して設けられた移載部３７１及びその下流の載置部３７２を備える。移載部３７１は、ベルトコンベア３７３を有し、このベルトコンベア３７３は排出口３６１から排出される印画紙をその都度図略のベルト駆動部（モータ等）により載置部３７２に向けて移送するものである。
【００６３】
載置部３７２（排出部に相当する）は、鉛直面上でチェーン駆動により循環される複数のトレイ３７４（収納部に相当する）を有する循環式トレイで、移載部３７１から送られてきた印画紙片が最上段に位置するトレイ３７４上に積載される高さに設定されている。トレイ３７４は、１オーダ分の印画紙片の移載が終了する毎に図略のトレイ駆動部により、下方に１段だけ移動する。トレイ３７４は最下段の位置に達した後反転し、トレイ収納部３７５内の循環経路を上方に移動して再び最上段の位置に戻る。トレイ収納部３７５の各トレイ３７４の適所であって高さ位置に対応してＬＥＤ３７６（表示部に相当する）がそれぞれ配設されている。
【００６４】
図１〜図３を用いてＣＤ処理装置４０の構成を説明する。ＣＤ処理装置４０は、筐体の手前右側に配置された書き込み前のＣＤ−Ｒ（ＣＤ  ｒｅｃｏｒｄａｂｌｅ）又はＣＤ−ＲＷ（ＣＤ  ｒｅｗｒｉｔａｂｌｅ）（以下これらを総称してＣＤという）をストックするストック部４１と、筐体の手前左側に配置され、トレイ４２１上のＣＤに画像データの書き込みを行うヘッド及びＣＤのレーベル面に印刷処理を施すためのインクジェット方式の印字部を有するＣＤライタ４２と、書き込み後のＣＤを収納する複数のトレイ４４１（収納部に相当する）を有するＣＤ収納部４４（排出部に相当する）と、書き込み前のＣＤをストック部４１からＣＤライタ４２に移送すると共に、書き込み後のＣＤをＣＤライタ４２からＣＤ収納部４４に移送するべく真空吸着式及び上下スライド構造を有する移送部４３と、ＣＤ処理装置４０の全体の動作を制御するマイクロコンピュータ、メモリ等からなる制御部（図示省略）とを備えている。また、筐体４４０の前面部にはトレイ４４１上のＣＤを取り出すための開口部４４０ａが設けられている。筐体４４０の適所であって各トレイ４４１の高さ位置に対応してＬＥＤ４４２（表示部に相当する）がそれぞれ配設されている。ＬＥＤ４４２の点灯または消滅は制御部によって行なわれる。
【００６５】
移送部４３は、先端にＣＤを吸着する吸着部４３２を有する移動用アーム４３１と、移動用アーム４３１を上下方向にスライド自在に支持すると共に左右に回転自在に支持する支持部材４３３と、移動用アーム４３１の吸着部４３２による吸着及びその解除を制御する吸着制御部（図示省略）と、移動用アーム４３１を左右に回転させたり、上下にスライドさせる各モータ等からなる駆動手段（図示省略）とを備える。駆動手段は、書き込み後のＣＤを吸着した状態で、移動用アーム４３１を所定のトレイ４４１の上方へ移動し、吸着制御部は移動用アーム４３１の上方位置への移動の終了を受けて、吸着部４３２によるＣＤの吸着を解除して、ＣＤをトレイ４４１上に搭載させる。
【００６６】
制御部は、受付装置１０から受信した識別情報をバーコード情報に変換する変換手段（図示省略）を有し、受付装置１０から識別情報を受信すると、識別情報及び変換後のバーコード情報をＣＤライタ４２に出力する。ＣＤライタ４２は、図７に示すようにＣＤ４５のレーベル面４５１に識別情報４５２ａ（ここでは、識別番号「０７５３」）及びバーコード化された識別情報４５２ｂを印字する。
【００６７】
図８は、受付装置１０の一例を示す機能構成図である。ＣＰＵ１１１は、外部から入力された注文情報等を受け付ける受付処理部１１１ａと、受付処理部１１１ａにより注文情報が受け付けられる度に識別情報を付与する識別情報付与部１１１ｂと、受付処理部１１１ａによって受け付けられた注文情報に基づき、ネガシート、写真、ＣＤの作成の要否を判別する注文種別判別部１１１ｃと、注文毎に写真、ＣＤ等の注文品が搭載されたトレイの位置情報を管理する位置管理部１１１ｄと、注文情報に従ってフィルム処理装置２０、写真出力装置３０、ＣＤ処理装置４０に対する処理のための情報を生成する処理情報作成部１１１ｉとを備えている。ＲＡＭ１１２は、注文情報等を格納する受付情報記憶部１１２ａを備えている。なお、受付装置１０を、受付処理部１１１ａ、識別情報付与部１１１ｂ、注文種別判別部１１１ｃ、位置管理部１１１ｄ及び処理情報作成部１１１ｉとして機能させるプログラムは、例えばＲＯＭ１１３に格納されており、ＣＰＵ１１１によって実行されることにより、受付装置１０が受付処理部１１１ａ等の各機能部として機能するものである。
【００６８】
受付処理部１１１ａ（受付手段に相当する）は、操作部１３を介して外部からの入力を受け付けて、例えば、注文者の氏名や必要に応じての住所、電話番号、電子メールアドレス等の情報（以下、注文者情報という）と、プリント要求の有無、プリントサイズ、及びプリント枚数等の情報（以下、プリント情報という）と、ネガシート、ＣＤの作成要求の有無に関する情報とを含む注文情報を受け付けるものである。また、受付処理部１１１ａは、フィルムスキャナ１６によりフィルムから読み取られた画像データ又は画像データ読取部１５により小型メモリカードから読み出された画像データを受け付け、ＨＤＤ１５８に格納するものである。また、受付処理部１１１ａは、操作部１３によって入力された識別情報を受け付けるものである。
【００６９】
識別情報付与部１１１ｂ（識別情報付与手段に相当する）は、受付処理部１１１ａによって注文情報が受け付けられる度に、所定のルールに則って識別情報を生成すると共に、注文情報を識別情報に対応付けて受付情報記憶部１１２ａに格納するものである。ここでは、識別情報は４桁の整数であって、識別情報付与部１１１ｂは、カウンタを内蔵しており、注文情報が受け付けられた順にカウントアップすることで、注文毎に４桁の一連番号である識別情報を付与するものである。例えば、識別情報として、「１２３４」が付与された注文の直後に受け付けられた注文には、識別情報として「１２３５」が付与される。
【００７０】
注文種別判別部１１１ｃは、受付処理部１１１ａによって受け付けられた注文情報にネガシート作成要求、プリント要求、ＣＤ作成要求が含まれているか否かを判断し、注文品の種類を判別するものである。
【００７１】
特定情報付与部１１１ｅ（特定情報付与手段に相当する）は、注文品の種類を特定する注文品特定情報を生成すると共に、生成された注文品が搭載されるトレイを特定するトレイ特定情報を生成し、注文品特定情報及びトレイ特定情報を注文情報に対応させて受付情報記憶部１１２ａに記憶するものである。例えば、注文種別判別部１１１ｃによって注文品が写真であると判断された場合、特定情報付与部１１１ｅは、注文品が写真であることを特定する注文品特定情報（以下、「プリント特定情報」という）を生成すると共に、写真出力装置３０によりプリントされた写真が搭載されるトレイ３７４を特定するトレイ特定情報を生成し、プリント特定情報及びトレイ特定情報を注文情報に対応させて受付情報記憶部１１２ａに記憶するものである。
【００７２】
また、注文種別判別部１１１ｃによって注文品がＣＤであると判断された場合、特定情報付与部１１１ｄは、注文品がＣＤであることを特定する注文品特定情報（以下、「ＣＤ特定情報」という）を生成すると共に、ＣＤ収納部４４の複数のトレイ４４１からＣＤの搬送先として選択された１つのトレイ４４１を特定するトレイ特定情報を生成し、ＣＤ特定情報及びトレイ特定情報を注文情報に対応付けて受付情報記憶部１１２ａに記憶するものである。
【００７３】
注文種別判別部１１１ｃによって注文品がネガシートであると判断された場合、特定情報付与部１１１ｄは、注文品がネガシートであることを特定する注文品特定情報（「ネガシート特定情報」という）を生成すると共に、フィルム処置装置２０によって作成されるネガシートが搭載されるトレイ２２１を特定するトレイ特定情報を生成し、ネガシート特定情報及びトレイ特定情報を注文情報に対応させて受付情報記憶部１１２ａに記憶するものである。
【００７４】
フィルム処理装置２０、写真出力装置３０、ＣＤ処理装置４０の各トレイ２２１，３７４，４４１のトレイ特定情報は、例えば最上段のトレイから順に「１」，「２」、「３」・・というような数字が用いられる。なお、これらのトレイ特定情報は、トレイを特定することが可能であれば数字に限らず、その他の情報でもよい。
【００７５】
更新部１１１ｆは、フィルム処理装置２０のトレイ２２１が下段に移動するに伴い受付情報記憶部１１２ａに記憶されるネガシート特定情報に対応するトレイ特定情報を更新する。また、更新部１１１ｆは、写真出力装置３０のトレイ３７４が下段に移動するに伴い受付情報記憶部１１２ａに記憶されるプリント特定情報に対応するトレイ特定情報を更新する。
【００７６】
選択部１１１ｇは、注文種別判別部１１１ｃによって注文品がＣＤであると判断された場合、ＣＤ処理装置４０の各トレイ４４１に対応するトレイ特定情報が受付情報記憶部１１２ａに記憶されているか否か、つまり、各トレイ４４１が使用中か否かを判断し、使用中でない空きのトレイ４４１があると判断した場合に、空きのトレイ４４１から所定の１つを選択するものである。
【００７７】
特定情報抽出部１１１ｈ（表示制御手段に相当する）は、受付処理部１１１ａによって識別情報の受付が行なわれた際に、識別情報に対応する注文品特定情報及びトレイ特定情報を受付情報記憶部１１２ａから読み出し、処理情報作成部１１１ｉに出力する。
【００７８】
処理情報作成部１１１ｉは、注文者に付与する預り証として、識別情報付与部１１１ｂによって付与された識別情報を所定の用紙に印刷する旨の指示情報をプリンタ１４に対して出力するものである。なお、預り証は、プリント注文時に打ち出されて注文者に付与可能にされ、プリント処理等が完了して注文者が写真等を受け取る際に、識別情報の確認のために使用されるものである。
【００７９】
処理情報作成部１１１ｉは、受付処理部１２１によって受け付けられた注文情報に基づき、写真出力装置２０、ＣＤ処理装置３０等に対する処理のための情報を生成すると共に、この処理情報を各装置に送信するものである。例えば、注文情報にプリント要求が含まれる場合は、処理情報作成部１１１ｉは、フィルムスキャナ１６または画像データ読取部１５によってフィルムまたは小型メモリカードから読み込まれた画像データをプリントサイズ、プリント枚数に従ってプリントする旨のプリント指示情報を生成し、写真出力装置３０に出力する。注文情報にＣＤ作成要求が含まれる場合は、処理情報作成部１１１ｉは、画像データ読取部１５又はフィルムスキャナ１６によって小型メモリカードまたはフィルムから読み込まれた画像データをＣＤに書き込む旨の書き込み指示情報を生成し、ＣＤ処理装置４０に出力する。注文情報にネガシート作成要求が含まれる場合は、処理情報作成部１１１ｉは、フィルムからネガシートを作成する旨のネガシート作成指示情報を生成し、フィルム処理装置２０に出力する。
【００８０】
処理情報作成部１１１ｉは、特定情報抽出部１１１ｈにより抽出された注文品特定情報から注文品を特定すると共にトレイ特定情報から当該注文品が搭載されるトレイを判別し、フィルム処理装置２０、写真出力装置３０、ＣＤ処理装置４０に当該トレイに対応するＬＥＤ２２３、３７６、４４２を点灯させる点灯指示情報を出力する。
【００８１】
図９及び図１０は、受付装置１０の動作の一例を示すフローチャートである。まず、フィルムがフィルムスキャナにセットされ、フィルムに記録される画像データのフィルムスキャナ１６による読み込みが行なわれる。また小型メモリカードが装填された場合は、格納されている画像データの画像データ読取部１５による読み込みが行なわれる（ステップＳ１）。受付処理部１１１ａによって、注文者情報、プリント要求の有無、プリントサイズ及びプリント枚数等のプリント情報、ＣＤまたはネガシート作成要求の有無を含む注文情報の受け付けが行なわれる（ステップＳ３）。
【００８２】
次いで、識別情報付与部１１１ｂによって、受け付けられた注文情報に対して識別情報が付与され（ステップＳ５）、注文情報が識別情報と対応付けられて受付情報記憶部１１２ａに格納される（ステップＳ７）。プリンタ１４によって識別情報の印刷処理が行われる（ステップＳ９）。
【００８３】
次に、注文種別判別部１１１ｃによって、注文情報にネガシート要求が含まれているか否かが判断され（ステップＳ１１）、ネガシート要求が含まれる場合は（ステップＳ１１でＹｅｓ）、特定情報付与部１１１ｅによって注文品がネガシートであることを特定するネガシート特定情報が生成されると共にフィルム処理装置２０によって作成されるネガシートが搭載されるトレイ２２１を特定するトレイ特定情報が生成され（ステップＳ１３）ネガシート特定情報及びトレイ特定情報が注文情報に対応付けられて受付情報記憶部１１２ａに格納される（ステップＳ１５）。フィルム処理装置２０によって作成されるネガシートはネガシート排出部２２の最上段のトレイ２２１に排出されるため、ここではトレイ特定情報として最上段のトレイ２２１を特定する「１」が生成されて、受付情報記憶部１１２ａに格納される。
【００８４】
また、更新部１１１ｆによって受付情報記憶部１１２ａに格納されるネガシートのトレイ特定情報の更新処理が行なわれる（ステップＳ１７）。更新部１１１ｆは、受付情報記憶部１１２ａに記憶されるネガシート特定情報に対応するトレイ特定情報にそれぞれ１加算することによって、各注文に応じて作成されたネガシートのトレイ特定情報の更新を行う。さらに、処理情報作成部１１１ｉによって、注文情報に基づきネガシート作成指示情報が生成され、このネガシート作成指示情報がステップＳ５で付与された識別情報と共にフィルム処理装置２０に出力される（ステップＳ１９）。その結果、フィルム処理装置２０において、ネガシートが作成されると共に、作成されたネガシートの所定位置に識別情報及びバーコード化された識別情報が印字される。一方、注文情報にネガシート要求が含まれない場合、またはステップＳ１９の処理が終了すると、ステップＳ２１に進む。
【００８５】
次に、ステップＳ２１では、注文種別判別部１１１ｃによって、注文情報にプリント要求が含まれているか否かが判断され（ステップＳ２１）、プリント要求が含まれている場合は（ステップＳ２１でＹｅｓ）、特定情報付与部１１１ｅによって注文品が写真であることを特定するプリント特定情報が生成されると共に、写真出力装置３０によりプリント出力された写真が搭載されるトレイ３７４を特定するトレイ特定情報が生成され（ステップＳ２３）、プリント特定情報及びトレイ特定情報が注文情報に対応付けられて受付情報記憶部１１２ａに格納される（ステップＳ２５）。写真出力装置３０でプリント出力される写真は、最上段のトレイ３７４に排出されるため、ここではトレイ特定情報として最上段のトレイ３７４の位置情報を示す「１」が生成されて、受付情報記憶部１１２ａに格納される。
【００８６】
また、更新部１１１ｆによって受付情報記憶部１１２ａに格納される写真のトレイ特定情報の更新処理が行なわれる（ステップＳ２７）。更新部１１１ｆは、受付情報記憶部１１２ａに記憶されるプリント特定情報に対応するトレイ特定情報にそれぞれ１加算することによって、各注文に応じてプリントされた写真のトレイ特定情報の更新を行う。さらに、処理情報作成部１１１ｉによって、注文情報に基づきプリント指示情報が生成され、このプリント指示情報がステップＳ５で付与された識別情報と共に写真出力装置３０に出力される（ステップＳ２９）。その結果、写真出力装置３０において、プリント処理が行われると共に、写真の裏面に識別情報及びバーコード化された識別情報が印字される。一方、注文情報にプリント要求が含まれない場合、またはステップＳ２９の処理が終了すると、ステップＳ３１に進む。
【００８７】
ステップＳ３１では、注文種別判別部１１１ｃによって、注文情報にＣＤ作成要求が含まれるか否かが判断され（ステップＳ３１）、ＣＤ作成要求が含まれる場合は（ステップＳ３１でＹｅｓ）、選択部１１１ｇによって、ＣＤ処理装置４０のトレイ４４１の使用状況が検査され、使用可能なトレイ４４１の有無が判断される（ステップＳ３３）。全てのトレイ４４１が使用中である場合は（ステップＳ３３でＮｏ）、ステップＳ３５の処理を繰り返し、トレイ４４１のいずれかが使用可能であれば（ステップＳ３３でＹｅｓ）、選択部１１１ｇによって使用可能なトレイ４４１のうちの１つが選択される（ステップＳ３５）。特定情報付与部１１１ｅによって注文品がＣＤであることを特定するＣＤ特定情報及び選択されたトレイ４４１を特定するトレイ特定情報が生成され（ステップＳ３７）、ＣＤ特定情報及びトレイ特定情報が注文情報に対応付けられて受付情報記憶部１１２ａに格納される（ステップＳ３９）。
【００８８】
さらに、処理情報作成部１１１ｉによって、注文情報に基づきＣＤ作成指示情報が生成され、このＣＤ作成指示情報が、ステップＳ５で付与された識別情報及びステップＳ３７で作成されたトレイ特定情報と共にＣＤ処理装置４０に出力される（ステップＳ４３）。その結果、ＣＤライタ４２により画像データがＣＤに書き込まれると共にＣＤのレーベル面に識別情報及びバーコード化された識別情報が印字される。一方、注文情報にＣＤ作成要求が含まれない場合、またはステップＳ４１の処理が終了すると、一連の処理を終了する。
【００８９】
図１１は注文品の受渡しを行う際の受付装置１０の動作を示すフローチャートである。
【００９０】
受付処理部１１１ａによって識別情報の受付が行なわれたか否かが判断される（ステップＳ５１）。預り証または注文品に記録される識別情報が操作部１３により入力され、または預り証または注文品に記録されるバーコードがバーコードリーダ１７により読み取られることによって、受付処理部１１１ａによる識別情報の受け付けが行なわれると（ステップＳ５１でＹｅｓ）、特定情報抽出部１１１ｈによって識別情報が受付情報記憶部１１２ａに記憶されているか否かが判断される（ステップＳ５３）。識別情報が受付情報記憶部１１２ａに記憶されていない場合は（ステップＳ５３でＮｏ）、処理を終了し、識別情報が受付情報記憶部１１２ａに記憶されている場合は（ステップＳ５３でＹｅｓ）、ステップＳ５５に移行する。
【００９１】
ステップＳ５５では、特定情報抽出部１１１ｈによって受け付けられた識別情報に対応する注文品特定情報及びトレイ特定情報が受付情報記憶部１１２ａから抽出され（ステップＳ５５）、処理情報作成部１１１ｉによって、注文品特定情報から注文品の種類が特定されると共にトレイ特定情報から注文品が搭載されるトレイが特定され、当該トレイに対応するＬＥＤを点灯させる点灯指示情報がフィルム処理装置２０、写真処理装置３０、ＣＤ処理装置４０の中から該当する装置の制御部に出力される（ステップＳ５７）。例えば、特定情報抽出部１１１ｈに抽出される注文品特定情報がＣＤを特定するものであり、トレイ特定情報が「３」を示す場合、処理情報作成部１１１ｉは、ＣＤ処理装置４０の３段目のトレイ４４１の高さ位置に配設されたＬＥＤ４４２を点灯させる点灯指示情報をＣＤ処理装置４０に出力することによって、当該ＬＥＤ４４２を点灯させる。
【００９２】
処理情報作成部１１１ｉによってＬＥＤの点灯指示がなされてから一定期間が経過したか否かが判断され（ステップＳ５９）、一定期間が経過すると（ステップＳ５９でＹｅｓ）、一旦点灯したＬＥＤを消灯させる消灯指示情報が出力され（ステップＳ６１）、ＬＥＤが消灯する。そして、位置管理部１１１ｄによって注文情報、識別情報、注文品特定情報及びトレイ特定情報が受付情報記憶部１１２ａから消去される（ステップＳ６３）。
【００９３】
このように本実施形態では、預り証にまたは注文品に記録される識別情報が操作部１３により入力され、又は預り証にまたは注文品が記録されるバーコードがバーコードリーダ１７により読み取られると、識別情報に対応する注文品特定情報及びトレイ特定情報から注文品の種類及び作成された注文品を搭載するトレイが特定され、当該トレイのＬＥＤが点灯される。これにより、注文品が収納されているトレイが一目で確認可能となり、注文毎に作成された注文品を正確且つ効率的に揃えることができる。
【００９４】
また、注文品がＣＤ及び写真である場合、例えばＣＤに記録される識別情報が操作部１３により入力され、又はＣＤに記録されるバーコードがバーコードリーダ１７により読み取られると、識別情報に対応するトレイ特定情報から写真を搭載するトレイが特定され、当該トレイのＬＥＤが点灯される。これにより、ＣＤと同一注文により作成された写真を搭載するトレイが一目で確認可能となり、ＣＤと写真の組み合わせを誤ることなく注文者への受渡しが可能となる。
【００９５】
さらに、注文品には識別情報が視認可能に記録されているため、識別情報による照合も可能であり、注文品の受渡しがより適正に行なわれる。
【００９６】
（第２の実施形態）
図１２は、本発明に係る写真処理システムの側面図である。なお、図において図１と同一符号を付したものは同一又は類似する構成であるため、ここでは説明を省略する。
【００９７】
本実施形態では、フィルム処理装置２０の各トレイ２２１にはＬＥＤ２２３の代わりに、例えば上から順に「１」，「２」・・というような識別番号２２４が表記され、写真出力装置３０の各トレイ３７４にはＬＥＤ３７６の代わりに、例えば上から順に「１」，「２」・・というような識別番号３７７が表記され、ＣＤ処理装置４０の各トレイ４４１にはＬＥＤ４４２の代わりに、例えば上から順に「１」，「２」・・というような識別番号４４３が表記されている。
【００９８】
図１３は、受付装置１０の一例を示す機能構成図である。なお、図において図８と同一符号を付したものは同一又は類似する構成であるため、ここでは説明を省略する。特定情報表示部１１１ｊは、特定情報抽出部１１１ｈにより抽出された注文品特定情報及びトレイ特定情報から注文品の種類及び注文品の搭載されるトレイの識別番号を特定し、モニタ１２に表示するものである。
【００９９】
図１４は注文品の照合を行う際の受付装置１０の動作を示すフローチャートである。
【０１００】
受付処理部１１１ａによって識別情報の受付が行なわれたか否かが判断される（ステップＳ８１）。預り証または注文品に記録される識別情報が操作部１３により入力され、または預り証または注文品に記録されるバーコードがバーコードリーダ１７により読み取られることによって、受付処理部１１１ａによる識別情報の受け付けが行なわれると（ステップＳ８１でＹｅｓ）、受付処理部１１１ａによって外部から識別情報が受け付けられた場合は、位置管理部１１１ｄによって識別情報が受付情報記憶部１１２ａに記憶されているか否かが判断される（ステップＳ８３）。識別情報が受付情報記憶部１１２ａに記憶されていない場合は（ステップＳ８３でＮｏ）、処理を終了し、識別情報が受付情報記憶部１１２ａに記憶されている場合は（ステップＳ８３でＹｅｓ）、ステップＳ８５に移行する。
【０１０１】
ステップＳ８５では、特定情報抽出部１１１ｈによって受け付けられた識別情報に対応する注文品特定情報及びトレイ特定情報が受付情報記憶部１１２ａから抽出され（ステップＳ８５）、特定情報表示部１１１ｊによって識別情報、注文品特定情報及びトレイ特定情報がモニタ１２に表示される（ステップＳ８７）。そして、位置管理部１１１ｄによって注文情報、識別情報、注文品特定情報及びトレイ特定情報が受付情報記憶部１１２ａから消去される（ステップＳ８９）。
【０１０２】
図１５は受付処理部１１１ａにより識別情報を受け付けた際にモニタ１２に表示される画面図の一例である。受け付けられた識別情報が例えば「１２３４」であって、識別情報に対応する注文品特定情報として、プリント特定情報、ＣＤ特定情報、ネガシート特定情報が受付情報記憶部１１２ａに記憶され、プリント特定情報に対応するトレイ特定情報が「３」、ＣＤ特定情報に対応するトレイ特定情報が「３」、ネガシート特定特定情報に対応するトレイ特定情報が「５」を示す場合、これらの識別情報、注文品の種類及び各注文品が収納されているトレイの識別番号がモニタ１２に表示される。これにより、作業者はフィルム処理装置２０、写真出力装置３０、ＣＤ処理装置４０の該当するトレイから注文品を集め、注文者への受渡しを行なうことができる。
【０１０３】
このように本実施形態では、預り証にまたは注文品に記録される識別情報が操作部１３により入力され、又は預り証にまたは注文品が記録されるバーコードがバーコードリーダ１７により読み取られると、識別情報に対応する注文品特定情報及びトレイ特定情報がモニタ１２に表示されるため、作業者は注文品の種類及び各注文品が収納されているトレイの識別番号から注文品が収納されているトレイを確認することができ、注文毎に作成された注文品を正確且つ効率的に揃えることができる。
【０１０４】
また、注文品がＣＤ及び写真である場合、例えばＣＤに記録される識別情報が操作部１３により入力され、又はＣＤに記録されるバーコードがバーコードリーダ１７により読み取られると、識別情報に対応する注文品特定情報及びトレイ特定情報がモニタ１２に表示されるため、作業者は、ＣＤと同一注文により作成された写真を搭載するトレイを確認することができ、ＣＤと写真との組み合わせを誤ることなく注文者への受渡しが可能となる。
【０１０５】
（その他の実施形態）
なお、本発明は以下の形態をとることができる。
【０１０６】
（Ａ）本実施形態においては、預り証、作成された注文品であるネガシート２５、写真、ＣＤにそれぞれに識別情報を印刷する場合について説明したが、これに限らず預り証のみに識別情報を印刷する形態、モニタ１２に識別情報を表示する形態も採用可能である。この場合には、フィルム処理装置２０、写真出力装置３０、ＣＤ処理装置４０それぞれの処理が簡略化され、各装置の構成が簡略化される。また、預り証に替えて（又は、加えて）受付装置１０が、注文者の所有するパーソナルコンピュータ又は携帯電話等に対して識別情報を含む電子メールを送信する形態でもよい。この場合には、注文者が預り証を紛失する等に伴って確認作業が煩雑化する可能性が抑制される。
【０１０７】
（Ｂ）本実施形態においては、フィルム処理装置２０、写真出力装置３０、ＣＤ処理装置４０の各装置の制御部が識別情報をバーコード情報に変換する変換部を有し、印字部が変換後のバーコード情報に基づき、作成された注文品にバーコードを印刷しているが、専用のバーコードライタ、２次元バーコードライタを用い注文品にバーコードを記録するようにしてもよい。
【０１０８】
（Ｃ）本実施形態においては、フィルム処理装置２０がフィルムを所定のコマ数（ここでは、４コマ）毎に切断してネガシート２５に収納する場合について説明したが、フィルムを切断せずに所定のフィルム収納容器（例えば、パトローネ）に収納する形態でもよい。この場合には、フィルム処理装置２０の処理が簡略化され、フィルム処理装置２０の構成が簡略化される。
【０１０９】
（Ｄ）本実施形態においては、ディジタルカメラで撮影された画像データが小型メモリカードに格納されている場合について説明したが、その他の記録媒体に格納されている形態でもよい。例えば、光ディスク、フレキシブルディスク、ＣＤ、ＤＶＤ、半導体メモリ等である。
【０１１０】
（Ｅ）本実施形態においては、画像データをＣＤ−ＲＷに記録する場合について説明したが、その他の記録媒体に記録する形態でもよい。例えば、ＣＤ−Ｒ、ＤＶＤ−Ｒ、ＤＶＤ−ＲＷ、ＤＶＤ＋ＲＷ、ＤＶＤ−ＲＡＭ等に記録する形態でもよい。
【図面の簡単な説明】
【０１１１】
【図１】本発明の第１の実施形態に係る写真処理システムの側面図である。
【図２】本発明の第１の実施形態に係る写真処理システムの平面図である。
【図３】受付装置の側面図である。
【図４】受付装置のハード構成図の一例である。
【図５】ネガシート作成部の詳細構成図であって、（ａ）は平面図、（ｂ）は側面図である。
【図６】写真出力装置の構成図である。
【図７】ＣＤ処理装置により作成されたＣＤの一例である。
【図８】受付装置の一例を示す機能構成図である。
【図９】受付装置の動作の一例を示すフローチャートである。
【図１０】受付装置の動作の一例を示すフローチャートである。
【図１１】受付装置の動作の一例を示すフローチャートである。
【図１２】本発明の第２の実施形態に係る写真処理システムの側面図である。
【図１３】受付装置の一例を示す機能構成図である。
【図１４】受付装置の動作の一例を示すフローチャートである。
【図１５】受付装置のモニタに表示される画面の一例を示す図である。
【符号の説明】
【０１１２】
１  写真処理システム
１０  受付装置
２０  フィルム処理装置
３０  写真出力装置
４０  ＣＤ処理装置
２２  ネガシート収納部
２２１  トレイ
２２２  筐体
２２３  ＬＥＤ
３７  ソータ部
３７１  移載部
３７２  載置部
３７３  ベルトコンベア
３７４  トレイ
３７５  トレイ収納部
３７６  ＬＥＤ
４４  ＣＤ収納部
４４１  トレイ
４４２  ＬＥＤ
【図１】
2005352185.tif 000003
【図２】
2005352185.tif 000004
【図３】
2005352185.tif 000005
【図４】
2005352185.tif 000006
【図５】
2005352185.tif 000007
【図６】
2005352185.tif 000008
【図７】
2005352185.tif 000009
【図８】
2005352185.tif 000010
【図９】
2005352185.tif 000011
【図１０】
2005352185.tif 000012
【図１１】
2005352185.tif 000013
【図１２】
2005352185.tif 000014
【図１３】
2005352185.tif 000015
【図１４】
2005352185.tif 000016
【図１５】
2005352185.tif 000017